(57)【特許請求の範囲】
【請求項１】
被変調データを保持し、アドレスジェネレータから出力されるアドレスデータに従って、時分割により、前記被変調データによる主の被変調データと、前記主の被変調データに対して、所定の期間だけ先行する副の被変調データとを出力するメモリと、
前記メモリの出力データを入力して、前記主の被変調データと前記副の被変調データとを分離して出力するセレクタと、
前記セレクタから出力される前記主の被変調データを変調して主の第１の変調データを生成する主の第１の変調手段と、
前記主の第１の変調データの符号を反転するビット反転手段と、
前記ビット反転手段の出力データをＮＲＺ符号で変調して主の第２の変調データを生成する主のＮＲＺ変調手段と、
前記主の第２の変調データの直流レベルを検出して主の直流レベル検出結果を出力する主の直流レベル検出手段と、
前記主の第１の変調手段と同一の処理により、前記セレクタから出力される前記副の被変調データを変調して副の第１の変調データを生成する副の第１の変調手段と、
前記主の第２の変調手段と同一の処理により、前記副の第１の変調データをＮＲＺ符号で変調して副の第２の変調データを生成する副のＮＲＺ変調手段と、
前記副の第２の変調データの直流レベルを検出して副の直流レベル検出結果を出力する副の直流レベル検出手段と、
前記主及び副の直流レベル検出結果に基づいて、前記主の第２の変調データの直流レベルが０レベルに近づくように、前記ビット反転手段を制御して、前記主の第２の変調データの直流レベルを補正する直流レベル補正手段と、
前記主の第２の変調データを伝送路に出力する出力手段とを備え、
前記主の直流レベル検出手段が、
前記主の第２の変調データの符号に応じてカウント値をアップカウント及びダウンカウントするカウンタであり、
前記副の直流レベル検出手段が、
前記基準周期でカウント値をリセットして、前記副の第２の変調データの符号に応じてカウント値をアップカウント及びダウンカウントするカウンタである
ことを特徴とする情報伝送装置。
【請求項２】
被変調データを保持し、アドレスジェネレータから出力されるアドレスデータに従って、時分割により、前記被変調データによる主の被変調データと、前記主の被変調データに対して、所定の期間だけ先行する副の被変調データとをメモリから出力するデータ出力のステップと、
前記データ出力のステップによる出力データを入力して、前記主の被変調データと前記副の被変調データとを分離して出力するデータ分離のステップと、
前記データ分離のステップによる前記主の被変調データを変調して主の第１の変調データを生成する主の第１の変調手段と、
前記主の第１の変調データの符号を反転するビット反転ステップと、
前記ビット反転ステップの出力データをＮＲＺ符号で変調して主の第２の変調データを生成する主のＮＲＺ変調ステップと、
前記主の第２の変調データの直流レベルを検出して主の直流レベル検出結果を出力する主の直流レベル検出ステップと、
前記主の第１の変調ステップと同一の処理により、前記副の被変調データを変調して副の第１の変調データを生成する副の第１の変調ステップと、
前記主の第２の変調ステップと同一の処理により、前記データ分離のステップによる前記副の第１の変調データをＮＲＺ符号で変調して副の第２の変調データを生成する副のＮＲＺ変調ステップと、
前記副の第２の変調データの直流レベルを検出して副の直流レベル検出結果を出力する副の直流レベル検出ステップと、
前記主及び副の直流レベル検出結果に基づいて、前記主の第２の変調データの直流レベルが０レベルに近づくように、前記ビット反転ステップを制御して、前記主の第２の変調データの直流レベルを補正する直流レベル補正ステップと、
前記主の第２の変調データを伝送路に出力する出力ステップとを備え、
前記主の直流レベル検出ステップが、
前記主の第２の変調データの符号に応じてカウント値をアップカウント及びダウンカウントするステップであり、
前記副の直流レベル検出ステップが、
前記基準周期でカウント値をリセットして、前記副の第２の変調データの符号に応じてカウント値をアップカウント及びダウンカウントするステップである
ことを特徴とする情報伝送方法。
【請求項３】
被変調データを保持し、アドレスジェネレータから出力されるアドレスデータに従って、時分割により、前記被変調データによる主の被変調データと、前記主の被変調データに対して、所定の期間だけ先行する副の被変調データとを出力するメモリと、
前記メモリの出力データを入力して、前記主の被変調データと前記副の被変調データとを分離して出力するセレクタと、
前記セレクタから出力される前記主の被変調データを変調して、主の第１の変調データを生成する主の第１の変調手段と、
前記主の第１の変調データの符号を反転するビット反転手段と、
前記ビット反転手段の出力データをＮＲＺ符号で変調して主の第２の変調データを生成する主のＮＲＺ変調手段と、
前記主の第２の変調データの直流レベルを検出して主の直流レベル検出結果を出力する主の直流レベル検出手段と、
前記主の第１の変調手段と同一の処理により、前記副の被変調データを変調して副の第１の変調データを生成する副の第１の変調手段と、
前記主の第２の変調手段と同一の処理により、前記セレクタから出力される前記副の第１の変調データをＮＲＺ符号で変調して副の第２の変調データを生成する副のＮＲＺ変調手段と、
前記副の第２の変調データの直流レベルを検出して副の直流レベル検出結果を出力する副の直流レベル検出手段と、
前記主及び副の直流レベル検出結果に基づいて、前記主の第２の変調データの直流レベルが０レベルに近づくように、前記ビット反転手段を制御して、前記主の第２の変調データの直流レベルを補正する直流レベル補正手段と、
前記主の第２の変調データを光ディスクに記録する記録手段とを備え、
前記主の直流レベル検出手段が、
前記主の第２の変調データの符号に応じてカウント値をアップカウント及びダウンカウントするカウンタであり、
前記副の直流レベル検出手段が、
前記基準周期でカウント値をリセットして、前記副の第２の変調データの符号に応じてカウント値をアップカウント及びダウンカウントするカウンタである
ことを特徴とする光ディスク装置。
【発明の詳細な説明】
【０００１】
【発明の属する技術分野】
本発明は、情報伝送装置、情報伝送方法及び光ディスク装置に関し、例えば光ディスク装置に適用することができる。本発明は、変調データの直流レベルを補正する際に、記録に供する被変調データを時分割により供給して事前に直流レベルを計算すると共に、この計算結果に基づいて変調データを生成することにより、全体構成を簡略化し、また伝送系の回路ブロックを異なるシステムにも共通に使用することができるようにする。
【０００２】
【従来の技術】
従来、光ディスク装置においては、事前に変調データの直流レベルを計算し、この計算結果に基づいて変調データの直流レベルを補正することにより、変調データの直流レベルを抑圧し、記録したデータを確実に再生できるようになされている。
【０００３】
すなわち図７は、特開平６−１６２６６８号公報に開示の光ディスク装置の一部を示すブロック図である。この光ディスク装置１において、変調回路２は、記録に供するデータＤ１を光ディスクに記録特性に適応した変調方式により変調して出力する。パターン生成回路３は、この変調回路２の出力データＤ２を受け、この出力データＤ２が論理「１」のとき、論理レベルを反転して出力する。
【０００４】
アップダウンカウンタ４は、パターン生成回路３の出力データＤ３を受け、この出力データＤ３の１フレームを単位にして、この出力データＤ３が論理「１」のとき、カウント値をアップカウントし、この出力データＤ３が論理「０」のとき、カウント値をダウンカウントする。これによりアップダウンカウンタ４は、１フレームを単位にして、出力データＤ３の直流レベルを検出する。
【０００５】
符号反転器５は、このアップダウンカウンタ４のカウント値を受け、このカウント値の正負を反転して出力することにより、出力データＤ２の符号を反転した場合の、出力データＤ３の直流レベルを検出する。
【０００６】
加算器６Ａは、アップダウンカウンタ４のカウント値と累積値メモリ７に格納された累積値との加算結果を出力し、加算器６Ｂは、符号反転回路５の出力値と累積値メモリ７に格納された累積値との加算結果を出力する。ここで累積値メモリ７は、連続する変調データについて、直流レベルの累積値を保持するようになされている。
【０００７】
絶対値比較回路８は、加算器６Ａの加算値と加算器６Ｂの加算値とをそれぞれ絶対値化した後、比較結果を出力する。セレクタ９は、この比較結果に基づいて、加算器６Ａ及び６Ｂの加算値を選択し、この選択した加算値を累積値メモリ７に格納する。これによりセレクタ９は、直流レベルの累積が小さくなるように、加算器６Ａ及び６Ｂの加算値を選択するようになされている。
【０００８】
１ブロックシフトレジスタ１１は、記録に供するデータＤ１を１フレームの期間遅延して出力する。変調回路１２は、変調回路２と同一の変調方式により、この出力データＤ１を変調して出力データＤ２を生成する。同期信号パターン切り換え回路１３は、絶対値比較回路８の比較結果に基づいて、この出力データＤ２に付加された同期信号より、出力データＤ２の極性を切り換えて出力する。このとき同期信号パターン切り換え回路１３は、セレクタ９の選択処理に対応するように出力データＤ２の極性を切り換える。
【０００９】
パターン生成回路１４は、パターン生成回路３と同様に入力データを処理し、同期信号パターン切り換え回路１３の出力データが論理「１」のとき、出力データの論理を反転する。これによりこの光ディスク装置１では、このパターン生成回路１４の出力データＤ３より１フレームだけ先行して、事前に出力データＤ３の直流レベルをアップダウンカウンタ４により検出し、この検出結果に基づいて直流レベルが低減するように、同期信号のパターンを切り換えるようになされている。
【００１０】
【発明が解決しようとする課題】
ところで図７について上述した構成においては、記録に供するデータＤ１を１ブロックシフトレジスタ１１により１フレームの期間遅延するようになされており、遅延回路でなるこの１ブロックシフトレジスタ１１の回路規模が大型化し、その分全体構成が大型化する問題がある。
【００１１】
またこのように１ブロックシフトレジスタ１１により記録に供するデータＤ１を１フレームの期間遅延して処理することにより、１フレームの長さが異なるシステムについては、記録回路系を共通に使用することが困難な問題もある。
【００１２】
本発明は以上の点を考慮してなされたもので、全体構成を簡略化することができ、伝送系の回路ブロックを異なるシステムにも共通に使用することができる情報伝送装置、情報伝送方法及び光ディスク装置を提案しようとするものである。
【００１３】
【課題を解決するための手段】
かかる課題を解決するため本発明においては、記憶手段より、時分割で、主の被変調データと、主の被変調データに対して先行する副の被変調データとを出力し、この副の被変調データより検出した変調データの直流レベルを基準にして、主の被変調データより生成する主の変調データの直流レベルを補正する。
【００１４】
記憶手段より、時分割で、主の被変調データと、副の被変調データとを出力すれば、遅延回路等を設けなくても、事前に、副の被変調データより変調データの直流レベルを検出することができ、この事前に検出した直流レベルを基準にして、続く主の被変調データについて、直流レベルを補正することができる。
【００１５】
【発明の実施の形態】
以下、適宜図面を参照しながら本発明の実施の形態を詳述する。
【００１６】
図２は、本発明の実施の形態に係る光ディスク装置を示すブロック図である。この光ディスク装置２０は、コンピュータ等の外部記憶装置に適用されて、ユーザーデータＤ５を光磁気ディスク２１に記録し、また光磁気ディスク２１に記録したユーザーデータＤ５を再生して出力する。
【００１７】
ここで光磁気ディスク２１は、レーザービームのガイド溝を形成するプリグルーブによりトラックアドレス、セクタアドレスがプリフォーマットされ、所定の回転速度により回転駆動した状態で、光ピックアップ２２よりレーザービームを射出し、光磁気ディスク２１からの戻り光を光ピックアップ２２で受光して得られる再生信号ＲＦより、このトラックアドレス、セクタアドレスを検出できるようになされている。光磁気ディスク２１は、このトラックアドレス及びセクタアドレスを基準にして、レーザービームの光量を間欠的に立ち上げると共に、変調コイル２３により変調磁界を印加して、所望のデータを熱磁気記録できるようになされている。また戻り光の偏光面の変化を検出することにより、磁気カー効果を有効に利用して記録されたデータを再生できるようになされている。
【００１８】
光ディスク装置２０において、バッファメモリ２４は、ユーザーデータＤ５を一時蓄積して所定のブロック単位で出力する。ＥＤＣ（Errer Ditection Code）エンコーダ２５は、このバッファメモリ２４より出力されるユーザーデータＤ５に誤り検出用の符号を付加して出力する。スクランブル回路２６は、このＥＤＣエンコーダ２５の出力データをスクランブル処理して出力する。ＩＤエンコーダ２７は、このスクランブル回路２６の出力データにＩＤ等の固定データを付加して出力する。
【００１９】
メモリ２８は、図示しないアドレスジェネレータのアドレス制御により、ＩＤエンコーダ２７の出力データを保持し、また保持したデータをインターリーブ処理して出力する。ＥＣＣ回路２９は、このメモリ２８より出力されるデータに基づいて、誤り訂正用の符号を生成し、この生成した誤り訂正用の符号をメモリ２８に格納する。かくしてメモリ２８は、このようにしてユーザーデータＤ５に付加された誤り訂正用符号、誤り検出用符号等をユーザーデータＤ５と共に所定のタイミングで出力する。
【００２０】
変調データ生成回路３０は、このメモリ２８の出力データ（以下被変調データと呼ぶ）Ｄ６をデータ処理して光磁気ディスク２１への記録に適した変調データＤ７を出力する。ドライバ３１は、間欠的に立ち上がるレーザービームの光量に対応して、この変調データＤ７により変調コイル２３を駆動し、これにより光ディスク装置２０では、熱磁気記録の手法を適用してユーザーデータＤ５を光磁気ディスク２１に記録する。
【００２１】
これに対して再生時、光ディスク装置２０では、光ピックアップ２２より得られる再生信号ＲＦを復調回路３３に入力する。ここで復調回路３３は、所定のしきい値により再生信号ＲＦを２値化して２値化信号を生成し、この２値化信号より再生クロックを生成する。復調回路３３は、さらにこの再生クロックを基準にして２値化信号を順次ラッチし、これにより再生データを生成する。さらに復調回路３３は、変調データ生成回路３０のデータ処理に対応してこの再生データをデータ処理することにより、再生データより復調データを生成して出力する。
【００２２】
メモリ３４は、図示しないアドレスジェネレータのアドレス制御により、この復調データを保持し、また保持した復調データを所定のタイミングで出力する。ＥＣＣ回路３５は、このメモリ３４より出力される復調データを誤り訂正処理して、メモリ３４に格納する。
【００２３】
ＩＤデコーダ３６は、このメモリ３４より出力される復調データよりＩＤ等を検出し、検出したＩＤを基準にして選択的に出力する。デスクランブル回路３７は、この出力データをデスクランブル処理して出力する。ＥＤＣデコーダ３８は、この出力データに付加された誤り検出用符号を基準にして、出力データを誤り検出処理する。バッファメモリ３９は、このＥＤＣデコーダ３８の出力データを保持し、外部機器からの要求に応動して出力する。
【００２４】
このようにしてユーザーデータＤ５を記録再生する光ディスク装置２０では、変調データ生成回路３０において、変調データＤ７の直流レベル（すなわちＤＳＶ（Digital Sum Value ）に対応する）が小さくなるように、変調データに配置されたコントロールビットの論理レベルを設定し、これにより復調回路３３においてしきい値により再生信号ＲＦを正しく２値化できるようになされている。
【００２５】
図１は、この変調データ生成回路３０を周辺回路と共に示すブロック図である。この変調データ生成回路３０において、タイミングコントローラ４１は、この変調データ生成回路３０にて処理する被変調データＤ６のクロックを基準にしてセレクタ４３に切り換え信号ＳＥＬを出力し、またアドレスジェネレータ４４の動作に必要な各種タイミング信号を出力する。さらにタイミングコントローラ４１は、ＮＲＺＩサンプラ４５に対してサンプリングパルスＳＰを出力し、１フレームＤＳＶカウンタ４６及びＤＳＶ積算カウンタ４７をそれぞれ初期値に設定するリセットパルスＲＳＴ１及びＲＳＴ２を出力する。
【００２６】
アドレスジェネレータ４４は、このタイミングコントローラ４１により制御されて、メモリ２８のアドレスデータＡＤを出力する。このとき図３に示すように、アドレスジェネレータ４４は、時分割により、光磁気ディスク２１に記録する被変調データＤ６のアドレスデータＡＤ（Ａ１）と、このアドレスデータＡＤ（Ａ１）より１フレーム先行するアドレスＡＤ（Ａ０、Ａ１）を出力する（図３（Ａ））。これによりメモリ２８は、各フレームで、１フレーム先行して光磁気ディスク２１に記録する被変調データＤＡ０、ＤＡ１、……を出力した後、光磁気ディスク２１に記録する被変調データＤＡ０、……を出力するようになされている（図３（Ｂ））。
【００２７】
セレクタ４３は、メモリ２８より出力される被変調データＤ６を受け、タイミングコントローラ４１により制御されて、１フレーム先行する被変調データＤ６Ａを変調器５０に出力し（図３（Ｃ））、続く被変調データＤ６Ｂを変調器５１に出力する（図３（Ｄ））。
【００２８】
図４に示すように、変調器５０は、この被変調データＤ６Ａ（図４（Ａ））を１−７変調し、クロックＣＫ（図４（Ｂ））に同期したＮＲＺ（Non Return to Zero）符号でなる変調データＤ９Ａを出力する（図４（Ｃ））。ＮＲＺＩ変調器５２は、この変調データＤ９Ａの論理レベルが立ち下がるタイミングで論理レベルを反転して、変調データＤ９ＡをＮＲＺＩ（Non Return to Zero Inverted ）符号でなる変調データＤ１０Ａに変換して出力する（図４（Ｄ））。
【００２９】
１フレームＤＳＶカウンタ４６は、変調データＤ１０Ａの論理レベルに応じてカウント値をインクリメント及びデクリメントし、これにより変調データＤ１０ＡのＤＳＶを検出する（図４（Ｅ））。さらに１フレームＤＳＶカウンタ４６は、変調データＤ９Ａの同期信号に割り当てられたコントロールビットＣＴに対応する変調データＤ１０ＡについてＤＳＶをカウントすると、タイミングコントローラ４１より出力されるリセットパルスＲＳＴ１（図４（Ｆ））によりカウント値をリセットする。
【００３０】
これにより１フレームＤＳＶカウンタ４６は、変調データＤ９ＡのコントロールビットＣＴより次のコントロールビットＣＴまでの間、１フレーム先行して、変調データＤ１０ＡのＤＳＶを検出する。さらに１フレームＤＳＶカウンタ４６は、この検出したＤＳＶの符号に応じて論理レベルの切り換わる符号ビットＦＢＡ（図４（Ｇ））を生成し、この符号ビットＦＢＡを極性判定回路５４に出力する。
【００３１】
ＮＲＺＩサンプラ４５は、タイミングコントローラ４１より出力されるサンプリングパルスＳＰ（図４（Ｈ））により変調データＤ１０Ａをサンプリングし、サンプリング結果ＳＰＡ（図４（Ｉ））を極性判定回路５４に出力する。
【００３２】
これにより変調データ生成回路３０では、コントロールビットＣＴを所定値に保持して、メモリ２８より１フレーム先行して読み出した被変調データＤ６を記録時と同様に処理し、その結果得られる変調データＤ１０ＡのＤＳＶを１フレーム単位で検出し、またサンプリングパルスＳＰを基準にして、この変調データＤ１０Ａの符号を検出するようになされている。
【００３３】
変調器５１は、変調器５０と同様に、被変調データＤ６Ｂを変調して変調データＤ９Ｂを出力する（図４（Ｊ））。コントロールビット反転器５６は、変調データＤ９Ｂを受け、極性判定回路５４により制御されて、コントロールビットＣＴの極性を反転して出力する。このときコントロールビット反転器５６は、極性判定回路５４より出力される制御信号に応動してコントロールビットＣＴの極性を設定して出力する。
【００３４】
ＮＲＺＩ変調器５７は、コントロールビット反転器５６の出力データを受け、ＮＲＺＩ変調器５２と同様に処理し、変調データＤ７（Ｄ１０Ｂ）（図４（Ｋ））を出力する。
【００３５】
ＤＳＶ積算カウンタ４７は、変調開始のタイミングでカウント値がリセットされた後、変調データＤ７（Ｄ１０Ｂ）のＤＳＶを順次積算する（図４（Ｌ））。さらにＤＳＶ積算カウンタ４７は、このＤＳＶの符号に応じて論理レベルの切り換わる符号ビットＦＢＢ（図４（Ｍ））を生成し、この符号ビットＦＢＢを極性判定回路５４に出力する。これにより変調データ生成回路３０では、１フレーム先行したＤＳＶの検出、変調データＤ１０Ａの符号検出に加えて、現時点のＤＳＶを検出するようになされている。
【００３６】
図５に示すように極性判定回路５４は、サンプリングパルスＳＰが立ち上がると（図５（Ｄ））、変調データＤ１０Ａ（図５（Ｃ））より検出されるＤＳＶの検出結果ＦＢＡ（図５（Ｅ））、変調データＤ１０Ａの符号検出結果ＳＰＡ（図５（Ｆ））を取り込んで保持する。これにより極性判定回路５４は、１フレーム先行した被変調データＤ６Ａ（図５（Ａ）（Ｂ））より、事前に、変調データＤ１０Ｂ（図５（Ｈ））の直流レベルと極性とを検出して保持する。
【００３７】
さらに極性判定回路５４は、サンプリングパルスＳＰ（図４（Ｉ））が立ち上がると、被変調データＤ６Ｂ（図５（Ｇ））より生成される変調データＤ１０Ｂ（図５（Ｈ））の極性と、累積加算された現時点のＤＳＶの検出結果ＦＢＢ（図５（Ｊ））とを検出する。さらにこれら事前に検出したＤＳＶの検出結果ＦＢＡ、現時点のＤＳＶを検出結果ＦＢＢ、変調データＤ１０Ａ及びＤ１０Ｂの符号検出結果より、図６に示す関係に従って、コントロールビットＣＴの極性を反転するか否か判断する。
【００３８】
この図５に示す状態においては、サンプリングパルスＳＰが立ち上がったタイミングにおいて、１フレーム先行したＤＳＶの検出結果ＦＢＡ、現時点のＤＳＶを検出結果ＦＢＢが共に論理「Ｈ」に保持され、また変調データＤ１０Ａ及びＤ１０Ｂが共に論理「Ｈ」に保持されていることにより、極性判定回路５４は、コントロールビットＣＴを反転するように、コントロールビット反転器５６の動作をセットする。
【００３９】
これにより被変調データＤ６Ｂ（図５（Ｌ））は、現時点のＤＳＶ（図５（Ｋ））が０レベルに収束するように、コントロールビットＣＴの極性がセットされ、ＮＲＺＩ符号により変調データＤ１０Ｂに変調され、この変調データＤ１０Ｂ（Ｄ７）により変調磁界が生成されて光磁気ディスク２１に記録される。
【００４０】
以上の構成において、コンピュータ等より入力されるユーザーデータＤ５は（図２）、バッファメモリ２４を介して所定のブロック単位でＥＤＣエンコーダ２５に入力され、ここで誤り検出用の符号が付加される。さらにユーザーデータＤ５は、スクランブル回路２６においてスクランブル処理された後、ＩＤエンコーダ２７によりＩＤ等の固定データが付加され、メモリ２８に格納される。このメモリ２８に格納されたデータは、ＥＣＣ回路２９により誤り訂正用の符号が付加され、これにより被変調データＤ６が生成される。
【００４１】
この被変調データＤ６は、変調データ生成回路３０（図１）において、先行する１フレーム分の被変調データＤＡ０と、続く１フレーム分の被変調データＤＡ１とが時分割によりメモリ２８から出力され、続くセレクタ４３において、先行する被変調データＤ６Ａと、続く１フレーム分の被変調データＤ６Ｂとに分離される。これにより遅延手段を用いなくても、１フレーム先行する被変調データＤ６Ａにより事前に変調データの直流レベルが検出されて、本来の変調データの直流レベルが補正される。
【００４２】
すなわち、先行する被変調データＤ６Ａは、変調器５０により１−７変調された後、続くＮＲＺＩ変調器５２で変調データＤ１０Ａに変換される。このようにして被変調データＤ６Ｂに比して、１フレーム先行して生成される変調データＤ１０Ａは、１フレームＤＳＶカウンタ４６によりコントロールビットＣＴ（図４）から続くコントロールビットＣＴまでの１フレーム分のＤＳＶが検出され、このＤＳＶの符号（ＦＢＡ）が検出されて極性判定回路５４に出力される。
【００４３】
またこのコントロールビットＣＴより所定ビットだけ先行して立ち上がるサンプリングパルスＳＰにより、ＮＲＺＩサンプラ４５で変調データＤ１０Ａの符号が検出されて、検出結果（ＳＰＡ）が極性判定回路５４に出力される。これにより変調データ生成回路３０において、被変調データＤ６は、１フレーム先行して、１フレーム分のＤＳＶ、変調データＤ１０Ａの極性が検出される。
【００４４】
これに対して被変調データＤ６Ｂは、変調器５１により１−７変調された後、コントロールビット反転器５６を介してＮＲＺＩ変調器５７に入力され、ここで変調データＤ１０Ｂに変換されてドライバ３１に出力される。
【００４５】
このとき変調データＤ１０Ｂは、ＤＳＶ積算カウンタ４７により通算のＤＳＶがカウントされ、１フレームＤＳＶカウンタ４６で検出される１フレーム先行したＤＳＶに対して、現時点のＤＳＶが検出される。また極性判定回路５４において、サンプリングパルスＳＰにより現時点の極性が検出される。
【００４６】
変調データＤ１０Ｂは、このようにして検出される現時点の極性、ＤＳＶ、１フレーム先行して検出される極性、ＤＳＶより、ＤＳＶが０に近づくように、すなわち直流レベルが０レベルに近づくように、コントロールビット反転器５６において、コントロールビットＣＴが反転され、これにより事前に検出した直流レベルに基づいて、直流レベルが補正されてドライバ３１に出力される（図２）。さらにこの変調データＤ７（Ｄ１０Ｂ）により変調コイル２３が駆動されると共に、間欠的にレーザービームの光量が立ち上げられ、これにより直流レベルが抑圧されてユーザーデータＤ５が光磁気ディスク２１に熱磁気記録される。
【００４７】
このようにしてユーザーデータＤ５を記録した光磁気ディスク２１は、光ピックアップ２２よりレーザービームが照射され、その戻り光の偏向面の変化が検出されて再生信号ＲＦが生成される。この再生信号ＲＦは、復調回路３３で２値化信号に変換され、この２値化信号より再生クロックが生成され、さらにこの再生クロックを基準にして順次２値化信号がラッチされて再生データが生成される。このとき再生信号ＲＦは、変調データＤ７の直流レベルが抑圧されていることにより、正しく２値化信号に２値化され、また再生クロックのジッタ等が有効に回避され、さらにビット誤りを有効に回避して正しく再生データに復調される。
【００４８】
これによりこの再生データが、記録時とは逆の処理を順次受けて、ユーザーデータＤ５が複号される。
【００４９】
以上の構成によれば、メモリ２８より、１フレーム先行する被変調データＤ６Ａと、本来の被変調データＤ６Ｂとを時分割により出力した後、分離して処理することにより、遅延回路等を設けなくても、事前に変調データのＤＳＶを検出して、この検出結果より変調データの直流レベルを抑圧することができる。従ってその分全体構成を簡略化することができ、またこの変調データ生成回路３０を異なるシステムにも共通に使用することができる。
【００５０】
なお上述の実施の形態においては、１フレーム先行して事前にＤＳＶを検出して処理する場合について述べたが、本発明はこれに限らず、２フレーム以上先行してＤＳＶを検出する場合、さらには１フレーム以下の短い期間だけ先行してＤＳＶを検出する場合等に広く適用することができる。
【００５２】
さらに上述の実施の形態においては、１−７変調により被変調データを記録する場合について述べたが、本発明はこれに限らず、種々のＰＬＬ変調により被変調データを変調する場合等に広く適用することができる。
【００５３】
また上述の実施の形態においては、光磁気ディスクにユーザーデータを記録する場合について述べたが、本発明はこれに限らず、相変化型の光ディスク等に所望のデータを記録する場合、さらには光ディスク等の伝送路を介して種々のデータを伝送する場合に広く適用することができる。
【００５４】
【発明の効果】
上述のように本発明によれば、記録に供する被変調データを時分割により供給して事前に直流レベルを計算すると共に、この計算結果に基づいて直流レベルを補正して変調データを生成することにより、遅延回路等を省略して事前に直流レベルを検出することができ、その分全体構成を簡略化し、また伝送系の回路ブロックを異なるシステムにも共通に使用することができる。
【図面の簡単な説明】
【図１】本発明の実施の形態に係る光ディスク装置の変調データ生成回路を示すブロック図である。
【図２】図１の変調データ生成回路を適用する光ディスク装置を示すブロック図である。
【図３】図１の変調データ生成回路３０への被変調データの供給の説明に供する信号波形図である。
【図４】図１の変調データ生成回路３０の動作の説明に供する信号波形図である。
【図５】図１の変調データ生成回路３０の極性判定回路の動作の説明に供する信号波形図である。
【図６】図１の変調データ生成回路３０の極性判定回路の動作の説明に供する図表である。
【図７】従来の光ディスク装置の一部を示すブロック図である。
【符号の説明】
１、２０……光ディスク装置、２１……光磁気ディスク、２８、３４……メモリ、３０……変調データ生成回路、４３……セレクタ、４５……ＮＲＺＩサンプラ、４６……１フレームＤＳＶカウンタ、４７……ＤＳＶ積算カウンタ、５０、５１……変調器、５２、５７……ＮＲＺＩ変調器、５４……極性判定回路、５６……コントロールビット反転器
【図１】
0004032399.tif 000002
【図２】
0004032399.tif 000003
【図３】
0004032399.tif 000004
【図４】
0004032399.tif 000005
【図５】
0004032399.tif 000006
【図６】
0004032399.tif 000007
【図７】
0004032399.tif 000008